(57)【特許請求の範囲】
【請求項１】
外部の構造物の開口部に取り付ける際に案内および位置規制できる、取付ガイドを備えた電子機器であって、前記開口部への取り付け時にその開口部へ対向する一側面において、複数の取付ガイドが折除可能に接続され、
更に、前記外部の構造物の前記開口部への取り付け時に、前記開口部へ対向する前記一側面が背面側から見て矩形状である場合、前記複数の取付ガイドは、その矩形の２つの頂点を通るいずれか一方の対角線上の外周側両端部において、折除可能に接続されていることを特徴とする、取付ガイドを備えた電子機器。
【請求項２】
前記複数の折除可能に接続された取付ガイドは、前記一側面との間に貫通孔部、切り欠き部又は薄肉部を介して接続されていることを特徴とする請求項１に記載の、取付ガイドを備えた電子機器。
【請求項３】
前記複数の折除可能に接続された取付ガイドは、背面側から見てＬ字を連続的又は断続的に構成していることを特徴とする請求項１又は２に記載の、取付ガイドを備えた電子機器。
【請求項４】
前記複数の折除可能な取付ガイドの外周側には、前記開口部への取り付け時にその開口部へ対向する前記一側面の外周部に沿ってシール部材が配置されていることを特徴とする請求項１から３のいずれか１項に記載の、取付ガイドを備えた電子機器。
【発明の詳細な説明】
【技術分野】
【０００１】  本発明は、工場や建家のコンクリート内外壁面、あるいは電力線に係る配電盤、分電盤、制御盤、集中監視盤等の他の装置のパネルにおける、電子機器の筐体を収容して配線導入をする開口部（本発明の係る電子機器とそれに関連する装置との電気的接続のための配線用開口）に設置される電子機器であって、例えば電源系統回路の電流値、電圧値を測定し、有効・無効電力、力率、皮相電力など様々な電力諸量を演算出力するデジタルパネルメータ（デジタルマルチメータとも称する、以下同じ）などの、表示器ユニットを含む各種の電子機器に関するものである。
【背景技術】
【０００２】  従来のパネルメータなどの電子機器のパネルへの取付機構においては、図１０（ａ）に示すような構成が知られていた（例えば、特許文献１参照）。【０００３】  ここで、箱形のパネルメータ１０２の本体部１０２ａは、取付パネル１０１の矩形状の開口部１０１ａに挿入された後、本体部１０２ａの背面側から付加ユニット１０３がネジにより固定されている。【０００４】  また、図１０（ｂ）と図１０（ｃ）に示すような構成も知られていた（例えば、特許文献２参照）。【０００５】  ケース１１２とカバー１１１とが周縁部でスナップフィット方式で嵌まりあっているパネルメータの取付機構において、ケース１１２は、パネル１１９の丸形状の穴１２１に挿入された後、左右に配置された一対の取付けねじ１１７がパネル１１９に予め形成された一対のねじ穴１１８に取り付けられて固定される。【０００６】  さらに、図示しないが、箱形のデジタル指示計が矩形状に開口されたパネルに挿入された後、ケースにアダプタを装着してパネルやトップハット側レールに固定される方式も知られていた（例えば、特許文献３参照）。
【先行技術文献】
【特許文献】
【０００７】
【特許文献１】  実開昭６３−６０９１９号公報
【特許文献２】  実開平０４−５５５１０号公報
【特許文献３】  特開２０１４−１９２３２５号公報
【発明の概要】
【発明が解決しようとする課題】
【０００８】  しかしながら、従来の電子機器の取付機構は、取り付けされるパネルメータやデジタル指示計の本体部や背面部の一部を収容できるよう、それぞれの本体部の外形形状に応じて、パネル側に予め矩形状や丸穴形状などの開口部を形成し準備しておく必要があった。【０００９】  すなわち、パネル側の開口部の形状を、設置される電子機器の本体部の外形よりもわずかに大きくした略相似形とすれば、本体部そのものの外側部が挿入時のガイド（案内機構）に相当し、パネルとその開口部に取り付けられた電子機器との位置関係を規制する役目も果たしていた。【００１０】  そのため、ある一つのタイプの電子機器の本体部の外形毎にパネル側の開口部を形状を設定する必要があったため、例えば、丸穴形状と矩形状との形状の相違のように異なる形状の開口部のどちらに対しても同一の電子機器を取り付けることは、例えば外形を変換するアダプタを用いる方法を除けば実質的に不可能であった。【００１１】  本発明は、上記事由に鑑みて為されたものであり、その目的は、例えば、丸穴形状と矩形状の相違のように、外部の構造体の異なる形状の開口部に対して同一の電子機器を取り付けることが可能となる、取付ガイドを備えた電子機器を提供することにある。
【課題を解決するための手段】
【００１２】  本発明に係る取付ガイドを備えた電子機器によれば、外部の構造物の開口部に取り付ける際に案内および位置規制できる、取付ガイドを備えた電子機器であって、開口部への取り付け時にその開口部へ対向する一側面において、複数の取付ガイドが折除可能に接続されていることを特徴としている。【００１３】  これにより、取付工事の作業者は、電子機器を取り付けようとする外部の構造物の開口部の形状に応じて取付ガイド折除の要否判断を行うことができる。【００１４】  すなわち、取付ガイドを利用した取付方法と取付ガイドを利用しない取付方法（取付ガイドを折除した取付方法と同意、以下同じ）のいずれかの方法を適宜選択できる。【００１５】  その結果、同一の電子機器でありながら、その電子機器を取り付けようとする外部の構造物の開口部が異なる形状（例えば、矩形状と丸穴形状の相違や同じ矩形状でも大きさの相違により異なる形状と同意、以下同じ）であってもその形状に依存することなく取付容易となり、取付作業における汎用性が増大する。【００１６】  また、本発明に係る取付ガイドを備えた電子機器によれば、複数の折除可能に接続された取付ガイドは、一側面との間に貫通孔部、切り欠き部又は薄肉部を介して接続されていてもよい。【００１７】  これにより、取付工事の作業者が、電子機器を取り付けようとする外部の構造物の開口部の形状に応じて取付ガイドを利用しない取付方法を選択した場合、その取付ガイドを手動により容易に折除できる。【００１８】  また、本発明に係る取付ガイドを備えた電子機器によれば、外部の構造物の開口部への取り付け時に、開口部へ対向する一側面が背面側から見て矩形状である場合、複数の取付ガイドは、その矩形の２つの頂点を通るいずれか一方の対角線上の外周側両端部において、折除可能に接続されていてもよい。【００１９】  これにより、取付工事の作業者が、矩形開口部に電子機器を取り付けるため、取付ガイドを利用した取付方法を選択した場合、外部の構造物の開口部に対する電子機器の回転方向の位置規制が容易になされるため、さらに取付容易となる。【００２０】  すなわち、折除可能な取付ガイドが仮に２つの場合であれば、それらを矩形状の一側面の２つの頂点を通るいずれか一方の対角線上の外周側両端部に配置すればパネルに対する電子機器の回転方向の位置規制が容易となる。【００２１】  また、本発明に係る取付ガイドを備えた電子機器によれば、複数の折除可能に接続された取付ガイドは、背面側から見てＬ字を連続的又は断続的に構成していてもよい。【００２２】  これにより、取付工事の作業者が、矩形開口部に電子機器を取り付けるため、取付ガイドを利用した取付方法を選択した場合、外部の構造物の開口部に対する電子機器の上下左右方向の位置規制が容易になされるため、さらに取付容易となる。【００２３】  また、本発明に係る取付ガイドを備えた電子機器によれば、複数の折除可能な取付ガイドの外周側には、開口部への取り付け時にその開口部へ対向する一側面の外周部に沿ってシール部材が配置されていてもよい。【００２４】  これにより、電子機器を取り付けようとする外部の構造物の開口部の形状に依存することなく、外部の構造物と電子機器との間の���閉性を容易に確保できる。【００２５】  また、取付ガイドの折除後に接続部の残存物があったとしても、電子機器の背面と取り付けようとする外部の構造物との間の距離（電子機器が取り付けた後にシール部材のシール性を確保できる適切な距離と同意）を、その残存物の高さより大きな所定の長さに設定できるようにシール部材の厚みと素材を適宜選択すればよい。【００２６】  これにより、その残存物の影響（電子機器と外部の構造物との平行度に対する影響、以下同じ）を受けることなく、電子機器と外部の構造物（本発明に係る電子機器が設置される面）との平行度を十分に確保できる。【００２７】  すなわち、例えば本発明に係る取付ガイドを備えた電子機器の取り付けられた外部の装置が、例えば室外や高湿度の環境内に設置された場合であっても、開口部から水や油の侵入を未然に防止することと、外部の構造物と取付ガイド折除後であっても電子機器と外部の構造物（設置面）との平行度を確保すること、の２つの効果を併せて得られる。
【発明の効果】
【００２８】  本発明による取付ガイドを備えた電子機器によれば、同一の電子機器でありながら、その電子機器を取り付けようとする外部の構造物の開口部が異なる形状（例えば、矩形形状と丸穴形状）であっても取付が容易となる。
【図面の簡単な説明】
【００２９】
【図１】（ａ）本発明の実施の形態に係る電子機器の前面斜視図、（ｂ）同電子機器の背面斜視図
【図２】（ａ）本発明の実施の形態に係る電子機器のシール部材を取り外した状態の背面斜視図、（ｂ）シール部材単体の前面斜視図
【図３】（ａ）シール部材を取り外した状態における電子機器背面の右上角部の斜視図、（ｂ）シール部材を取り外した状態における電子機器背面の左上角部の斜視図、（ｃ）シール部材を取り外した状態における電子機器背面の左下角部の斜視図、（ｄ）シール部材を取り外した状態における電子機器背面の右下角部の斜視図
【図４】（ａ）シール部材を取り外した状態における電子機器背面の右上角部の取付ガイド折除後の斜視図、（ｂ）シール部材を取り外した状態における電子機器背面の左上角部の取付ガイド折除後の斜視図
【図５】（ａ）電子機器の背面図、（ｂ）電子機器の背面右上角部の取付ガイドを含む部分拡大図、（ｃ）電子機器の背面右上角部の取付ガイド折除後の部分拡大図
【図６】（ａ）図５（ａ）のＡＡ断面を引用し電子機器を矩形状開口部に取り付けた状態の断面図、（ｂ）図５（ａ）のＢＢ断面を引用し電子機器を丸穴状開口部に取り付けた状態の断面図
【図７】（ａ）別の実施の形態に係る電子機器の背面斜視図、（ｂ）別の実施の形態に係る電子機器の背面図
【図８】（ａ）取付ガイドの全体構成の第１変形例、（ｂ）取付ガイドの全体構成の第２変形例、（ｃ）取付ガイドの全体構成の第３変形例
【図９】（ａ）取付ガイドの接続部の構成の第１変形例、（ｂ）取付ガイドの接続部の構成の第２変形例、（ｃ）取付ガイド及びその接続部の構成の第３変形例
【図１０】従来のパネルメータなどの電子機器のパネルへの取付機構説明図
【発明を実施するための形態】
【００３０】  以下、本発明の実施の形態を説明するために、図面を参照して説明する。
【００３１】  図１（ａ）は、本発明の実施の形態に係る電子機器の前面斜視図で、図１（ｂ）は、同電子機器の背面斜視図で、図２（ａ）は、本発明の実施の形態に係る電子機器のシール部材を取り外した状態の背面斜視図で、図２（ｂ）は、シール部材単体の前面斜視図で、図３（ａ）は、シール部材を取り外した状態における電子機器背面の右上角部の斜視図で、図３（ｂ）は、シール部材を取り外した状態における電子機器背面の左上角部の斜視図で、図３（ｃ）は、シール部材を取り外した状態における電子機器背面の左下角部の斜視図で、図３（ｄ）は、シール部材を取り外した状態における電子機器背面の右下角部の斜視図で、図４（ａ）は、シール部材を取り外した状態における電子機器背面の右上角部の取付ガイド折除後の斜視図で、図４（ｂ）は、シール部材を取り外した状態における電子機器背面の左上角部の取付ガイド折除後の斜視図で、図５（ａ）は、電子機器の背面図で、図５（ｂ）は、電子機器の右上角部の取付ガイドを含む部分拡大図で、図５（ｃ）は、電子機器の右上角部の取付ガイド折除後の部分拡大図で、図６（ａ）は、図５（ａ）のＡＡ断面を引用し電子機器を矩形状開口部に取り付けた状態の断面図で、図６（ｂ）は、図５（ａ）のＢＢ断面を引用し電子機器を丸穴状開口部に取り付けた状態の断面図で、図７（ａ）は、別の実施の形態に係る電子機器の斜視背面図で、図７（ｂ）は、別の実施の形態に係る電子機器の背面図で、図８（ａ）〜（ｃ）は、取付ガイドの全体構成の３つの変形例で、図９（ａ）〜（ｃ）は、取付ガイドの接続部の構成の３つの変形例である。
【００３２】  まず、図１（ａ）に示すように、本発明に係る電子機器の一例である薄形のデジタルパネルメータ１０は、前述したように、例えば工場や建家のコンクリート内外壁面、あるいは電力線に係る配電盤、分電盤、制御盤、集中監視盤等の他の装置のパネルにおける、電子機器の筐体を収容して配線導入をする開口部（本発明の係る電子機器とそれに関連する装置との電気的接続のための配線用開口、以下同じ）に設置される電子機器であって、電源系統回路の電流値、電圧値を測定し、有効・無効電力、力率、皮相電力など様々な電力諸量を演算出力する製品である。
【００３３】  その前筐体１１には、７つの発光ダイオード（以下、ＬＥＤと称する）が基板状に配置され、それらが選択的に発光することにより数字や文字などの特定の形象を表示することのできるセグメント表示方式の主表示部１１ｓが横一列に６桁分並び、その下方に情報表示部１１ｈ、左方に上下５段からなるバーグラフ表示部１１ｐが配置されている。
【００３４】  また、それらを含む表示部の下方には、電源ボタン１１ｎと複数個の各種表示設定ボタン１１ｍが配置されている。
【００３５】  一方、図１（ｂ）に示すように、デジタルパネルメータ１０の背面側に位置する後筐体１２は背面側から見てその外周部は略矩形状を成し、その後筐体１２の外周部を囲繞するように配置される前筐体１１の４つの角部のそれぞれに背面側から見たときにＬ字状の折除可能な取付ガイド１１ａ〜１１ｄが設けられている。
【００３６】  そして、右上角部に接続される取付ガイド１１ａ、左上角部に接続される取付ガイド１１ｂ、左下角部に接続される取付ガイド１１ｃ、右下角部に接続される取付ガイド１１ｄは、それぞれ向きは異なるもののいずれも背面側から見てＬ字状を構成している。
【００３７】  さらに、これら折除可能に接続された４つの取付ガイド１１ａ〜１１ｄの外周側には、シール部材１３が配置されている。
【００３８】  また、後筐体１２は、前筐体１１と別体で構成され、嵌合により相互に結合しているが、その中央部分には略円筒形状の導入経路部１２ａが一体成形により接続されており、その先端外周部には予め他の要素（図示せず、例えば内面に雌ねじの形成されたカップリング部材など）との連結用の雄ねじが形成されている。
【００３９】  そして、デジタルパネルメータ１０は、他の装置（パネル）の開口部（図示せず、以下同じ）に対向するように設置されるため、導入経路部１２ａが開口部に挿入され、その雄ねじの形成により、前述した他の要素を介して他の関連装置と機械的に連結される。
【００４０】  これにより、デジタルパネルメータ１０はパネルに対して間接的に固定される。
【００４１】  さらに設置後は、デジタルパネルメータ１０の内部電子部品と外部の関連装置との電気的接続用の配線がこの導入経路部１２ａの内側に導入される。
【００４２】  ここで、デジタルパネルメータ１０の前面側から背面側周辺部にわたって位置する前筐体１１と背面側の後筐体１２は、いずれもデジタルパネルメータ１０の本体の外郭部分を構成し、適切な絶縁性を確保できる樹脂素材、例えば、ＰＣ（ポリカーボネイト）、変性ＰＰＥ（変形ポリフェニレンエーテル）、ＰＦ（フェノール）、ＰＢＴ（ポリブチレンテレフタレート）などの熱可塑性樹脂素材によって成型されたものである。
【００４３】  また、図２（ａ）で示したシール部材１３を取り外したデジタルパネルメータ１０のように、Ｌ字状の取付ガイド１１ａ〜１１ｄは、いずれも前筐体１１の４つの背面側角部において背面側へ突出するように一体成形されている。
【００４４】  次に、図２（ｂ）に示したように、シール部材１３は、デジタルパネルメータ１０の背面側から見ると略矩形を構成し、その垂直断面も矩形を構成するように予め成形された部材である。
【００４５】  その素材としては、例えば、天然ゴム、クロロプレンゴム（ネオプレン）、エチレンプロピレンゴム、ニトリルゴム（ハイカー）、ウレタンゴムシリコーンゴム等の、所望の弾力性だけでなく、加工性、耐衝撃性、耐候性、耐薬品性、耐熱性等の要求に応じてそれらの中から適宜選択すればよく、また、それら素材に限定されるものではない。
【００４６】  また、シール部材１３は、デジタルパネルメータ１０の背面側においてＬ字を構成する（Ｌ字状であることと同意、以下同じ）取付ガイド１１ａ〜１１ｄの外周側に配置されるため、デジタルパネルメータ１０を取り付けようとするパネルの開口部が異なる形状であってもその形状に依存することなく、デジタルパネルメータ１０と外部の装置のパネル（図示せず）との間の密閉性を容易に保つことができる。
【００４７】  また、図３（ａ）に示すように、Ｌ字状の取付ガイド１１ａは、前筐体１１の背面側の右上角部に一体成形により形成され、４つの接続部１１ａａと３つの貫通孔部１１ａｂを介することにより、折除可能に接続されている。
【００４８】  すなわち、さらに取付ガイド１１ａのＬ字を構成する本体よりも薄肉化された４つの接続部１１ａａと、そのＬ字を構成する本体の内周側と外周側の空間を連通する３つの貫通孔部１１ａｂが、角部に沿って交互に配置されている（本体の内周側とは後筐体１２側であり、外周側とはシール部材１３が配置される側とする、以下同じ）。
【００４９】  これにより、取付ガイド１１ａが手動により折除可能に接続されている。
【００５０】  ここで、Ｌ字状とは、デジタルパネルメータ１０の背面側から見てＬ字を構成していればよく、デジタルパネルメータ１０の取付方向を回転中心軸とし、デジタルパネルメータ１０を３６０度回転した場合にその回転角度範囲内でＬ字状に見えればよいものとする（Ｌ字状の定義とする、以下同じ）。
【００５１】  同様に、図３（ｂ）に示すように、Ｌ字状の取付ガイド１１ｂは、前筐体１１の背面側の左上角部に一体成形により形成され、４つの接続部１１ｂａと３つの貫通孔部１１ｂｂを介することにより、折除可能に接続されている。
【００５２】  すなわち、さらに取付ガイド１１ｂのＬ字を構成する本体よりも薄肉化された４つの接続部１１ｂａと、そのＬ字を構成する本体の内周側と外周側の空間を連通する３つの貫通孔部１１ｂｂが、角部に沿って交互に配置されることにより、手動により取付ガイド１１ｂは折除可能に接続されている。
【００５３】  同様に、図３（ｃ）に示すように、Ｌ字状の取付ガイド１１ｃは、前筐体１１の背面側の左下角部に一体成形により形成され、４つの接続部１１ｃａと３つの貫通孔部１１ｃｂを介して折除可能に接続されている。
【００５４】  すなわち、さらに取付ガイド１１ｃのＬ字を構成する本体よりも薄肉化された４つの接続部１１ｃａと、そのＬ字を構成する本体の内周側と外周側の空間を連通する３つの貫通孔部１１ｃｂが、角部に沿って交互に配置されることにより、手動により取付ガイド１１ｃは折除可能に接続されている。
【００５５】  同様に、図３（ｄ）に示すように、Ｌ字状の取付ガイド１１ｄは、前筐体１１の背面側の右下角部に一体成形により形成され、４つの接続部１１ｄａと３つの貫通孔部１１ｄｂを介して折除可能に接続されている。
【００５６】  すなわち、さらに取付ガイド１１ｄのＬ字を構成する本体よりも薄肉化された４つの接続部１１ｄａと、そのＬ字を構成する本体の内周側と外周側とを連通する３つの貫通孔部１１ｄｂが、角部に沿って交互に配置されることにより、手動により取付ガイド１１ｄは折除可能に接続されている。
【００５７】  次に、取付工事の作業者が、デジタルパネルメータ１０を取り付けようとする外部の構造物の一例であるパネルの開口部の形状が丸穴形状であって、その丸穴の内径より小さな外径に設定した導入経路部１２ａを挿通するため、取付ガイド１１ａ〜１１ｄが不要となるため、それらの折除が必要と判断した場合の折除方法について以下説明する。
【００５８】  まず、図４（ａ）は、取付ガイド１１ａのＬ字を構成する本体に対して接続部１１ａａを支点として内外方向に大きく揺動するように外力（手動による力）を付与すると、薄肉化された４つの接続部１１ａａがいずれも組成変形から破壊に至るため、これにより容易に前筐体１１から折除されて、破線矢印の方向に分離された後の状態を示している。
【００５９】  ここで、取付ガイド１１ａの折除後に、前筐体１１の背面側右上角部には、４つの接続部１１ａａの残存物が存在するが、デジタルパネルメータ１０の背面と取り付けようとする外部のパネルとの間の距離をその残存物の高さより大きな所定の長さに設定できるようにシール部材１３の厚みを選択すれば、その残存物の影響を受けることなくデジタルパネルメータ１０とパネルとの平行度を確保できる。
【００６０】  すなわち、本発明に係る取付ガイドを備えたデジタルパネルメータ１０の取り付けられた外部の装置が、例えば室外や高湿度の環境内に設置された場合であっても、開口部から水や油の侵入を未然に防止することと、外部の構造物と取付ガイド折除後にデジタルパネルメータ１０とそれが設置される外部の装置のパネルとの平行度を確保すること、の２つの効果が併せて得られる。
【００６１】  同様に、図４（ｂ）は、取付ガイド１１ｂのＬ字を構成する本体を手動で大きく揺動させると、薄肉化された４つの接続部１１ａａがいずれも組成変形から破壊に至り、前筐体１１から折除され、破線矢印の方向に分離された後の状態を示している。
【００６２】  同様に、取付ガイド１１ｃ、１１ｄも折除することにより分離される（図示省略）。
【００６３】  次に、図５（ａ）を参照して、デジタルパネルメータ１０の背面外周部は、シール部材１３の外周部と略同一の形状と大きさであって、かつ、矩形の一つの形態である長方形を構成しており、その長方形の対角線Ｔ１及び対角線Ｔ２（いずれも破線で示した）と、４つの取付ガイド１１ａ〜１１ｄとの位置関係について説明する。
【００６４】  まず、右上角部に位置する取付ガイド１１ａと左下角部に位置する取付ガイド１１ｃは、いずれもデジタルパネルメータ１０の背面外周部から形成される矩形の右上頂点と左下頂点を通る対角線Ｔ１上の外周側両端部において、折除可能に接続されている。
【００６５】  一方、左上角部に位置する取付ガイド１１ｂと右下角部に位置する取付ガイド１１ｄは、いずれも左上頂点と右下頂点を通る対角線Ｔ２上の外周側両端部において、折除可能に接続されている。
【００６６】  これにより、取付工事の作業者にとっては、取付ガイド１１ａ〜１１ｄを利用した取付方法を選択し、外部の矩形状開口部（図示せず、以下同じ）にデジタルパネルメータ１０を取り付ける場合に、外部の構造物の開口部に対するデジタルパネルメータ１０の回転方向の位置規制が容易になされるため、取付容易となる。
【００６７】  次に、図５（ｂ）を参照して説明すると、取付ガイド１１ａは、背面側から見てＬ字を連続的に構成するようにその本体は形成されており、かつ、背面側外周部から構成される矩形の右上頂点と左下頂点を通る対角線Ｔ１上の外周側両端部において、取付ガイド１１ａが折除可能に前筐体１１の背面側右上角部に接続されている。
【００６８】  また、折除可能な取付ガイド１１ａの外周側には、開口部への取り付け時にその開口部を囲むパネルに対向する、前筐体１１の背面側角部の外周部に沿ってシール部材１３が配置されている。
【００６９】  そして、図５（ｃ）は、取付ガイド１１ａが前筐体１１から折除されると、４つの接続部１１ａａの残存物が前筐体１１ａ上に残ることを示いているが、その残存物の高さ（Ｙ方向の長さ）を、シール部材１３の厚み（Ｙ方向の長さ）よりも小さくなるように接続部１１ａａの薄肉化の位置を適宜設定すればよい。
【００７０】  これにより、取付ガイド１１ａ〜１１ｄの折除後のデジタルパネルメータ１０とそれが設置されるパネル面との平行度も容易に確保できる。
【００７１】  その結果、デジタルパネルメータ１０を取り付けようとする外部のパネルの開口部の形状に依存することなく、外部のパネルとデジタルパネルメータ１０との間の密閉性を容易に確保できる。
【００７２】  すなわち、デジタルパネルメータ１０の内部電子部品と外部の関連装置との電気的接続用の配線が導入経路部１２ａ（図１（ｂ）参照）の内側に導入されるが、本発明に係るデジタルパネルメータ１０が開口部に取り付けられた外部の装置が例えば室外や高湿度の環境内に設置された場合であっても、開口部から水や油の侵入を未然に防止することができる。
【００７３】  次に、図６（ａ）を参照して、外部の構造物の一例であるパネルＰ１の矩形状開口部に、デジタルパネルメータ１０が取り付けられた状態における取付ガイド１１ｂ、１１ｃによる位置規制について説明する。
【００７４】  パネルＰ１には、矩形状開口部が予め準備されており、取付ガイド１１ｂの上面（図３（ｂ）参照）がパネルＰ１の上側端部Ｐ１ｂと当接し、取付ガイド１１ｃの下面（図３（ｃ）参照）がパネルＰ１の下側端部Ｐ１ｃと当接することによりＺ方向（上下方向）の取付位置が規制される。
【００７５】  同様に、取付ガイド１１ｂの左面（図３（ｂ）参照）がパネルＰ１の矩形状開口部の左側端部（背面側から見て左側端部、図示せず）と当接し、取付ガイド１１ｃの左面（図３（ｃ）参照）がパネルＰ１の矩形開口部の左側端部（背面側から見て左側端部、図示せず）と当接してＸ方向（左右方向）の取付位置が規制される。
【００７６】  ここで、シール部材１３は、わかりやすくするためにその断面を黒色で塗りつぶして示されているが、折除可能な取付ガイド１１ｂ及び取付ガイド１１ｃの外周側に配置されるため、パネルＰ１の矩形状開口部への取り付け後には、前筐体１１の背面側外周部とパネルＰ１との間の密閉性を確保できている。
【００７７】  次に、図６（ｂ）を参照して、外部の構造物の一例であるパネルＰ２の丸穴状開口部に、予め取付ガイド１１ａ〜１１ｄが折除されたの後のデジタルパネルメータ１０が取り付けられた状態における位置規制について説明する。
【００７８】  パネルＰ２には、丸穴状開口部が予め準備されており、円筒形状の導入経路部１２ａ（図１（ｂ）参照）の外周部の全周にわたってパネルＰ２の丸穴状開口部の上方端部Ｐ２ｂと下方端部Ｐ２ｃを含む内周部と当接することにより、Ｚ方向（上下方向）とＸ方向（左右方向）の取付位置が規制される。
【００７９】  ここでも、シール部材１３は、わかりやすくするためにその断面を黒色で塗りつぶして示されているが、折除前の取付ガイド１１ａ〜１１ｄの外周側に配置されるため、パネルＰ２の丸穴状開口部への取り付け後には、前筐体１１の背面側外周部とパネルＰ２との間の密閉性を確保できている。
【００８０】  次に、図７（ａ）、（ｂ）を参照して、折除可能に接続された取付ガイドが２つのみとした別の実施の形態にであって、取付ガイド２１ａ及び２１ｃの基本構成は最初の実施の形態における取付ガイド１１ａ及び１１ｃのそれと同一であるが、以下に相違点のみを説明する。
【００８１】  まず、図７（ａ）の通り、デジタルパネルメータ２０の背面側には、背面側から見て右上Ｌ字状の取付ガイド２１ａは、前筐体２１の背面側の右上角部に一体成形により形成され、４つの接続部と３つの貫通孔部（図３（ａ）と同様のため、図示省略）を介することにより、折除可能に接続されている。
【００８２】  すなわち、さらに取付ガイド２１ａのＬ字を構成する本体よりも薄肉化された４つの接続部と、そのＬ字を構成する本体の内周側と外周側とを連通する３つの貫通孔部が、角部に沿って交互に配置されることにより、取付ガイド２１ａは手動により折除可能に接続されている（本体の内周側とは後筐体２２側であり、外周側とはシール部材２３が配置される側とする、以下同じ）。
【００８３】  同様に、Ｌ字状の取付ガイド２１ｃは、前筐体１１の背面側の左下角部に一体成形により形成され、４つの接続部と３つの貫通孔部（図３（ｃ）と同様のため、図示省略）を介して折除可能に接続されている。
【００８４】  すなわち、さらに取付ガイド２１ｃのＬ字を構成する本体よりも薄肉化された４つの接続部と、そのＬ字を構成する本体の内周側と外周側とを連通する３つの貫通孔部が、角部に沿って交互に配置されることにより、取付ガイド２１ｃは手動により折除可能に接続されている。
【００８５】  シール部材２３の素材や配置については、最初の実施の形態と同様であるため、説明を省略する。
【００８６】  次に、図７（ｂ）を参照して、デジタルパネルメータ２０の背面側から見て背面の外周部は、シール部材２３の外周部と略同一の形状と大きさであって、かつ、矩形の一つの形態である長方形を構成しており、その長方形の対角線Ｔ３と、２つの取付ガイド２１ａ、２１ｃとの位置関係について説明する。
【００８７】  まず、右上の取付ガイド２１ａと左下の取付ガイド２１ｃは、いずれも右上頂点と左下頂点を通る対角線Ｔ３（破線で示した）上における外周側両端部において、折除可能に接続されている。
【００８８】  これにより、取付工事の作業者が２つの取付ガイド２１ａ、２１ｃを利用した取付方法を選択し、外部の矩形状開口部（図示せず、以下同じ）にデジタルパネルメータ２０を取り付ける場合に、その外部の構造物の矩形状開口部に対するデジタルパネルメータ２０の回転方向の位置規制が容易になされるため、取付容易となる。
【００８９】  次に、図８（ａ）〜（ｃ）を参照して、取付ガイドの構成の変形例を説明する（いずれも、残りの角部については図示と説明を省略する）。
【００９０】  図８（ａ）は、対角線Ｔ４（破線で示した）上の外周側両端部において、前筐体３１の背面側右上角部に２つのＬ字形状の取付ガイド３１ａ、３１ｅを折除可能に接続した形態である。
【００９１】  同様に、残りの左上角部、左下角部及び右下角部のいずれにも２つずつＬ字状の取付ガイドが折除可能に接続されているものとする（図示せず）。
【００９２】  これにより、パネル上における大きさの異なる２種類の矩形状開口部への対応が可能となり、その矩形状開口部の大きい方に取り付ける場合は、取付ガイド３１ａ、３１ｅと図示しない他の３つの角部の取付ガイドのいずれも折除する必要がない。
【００９３】  一方、矩形状開口部の小さい方に取り付ける場合は、取付ガイド３１ａと図示しない他の３つの角部の取付ガイドの外周側に位置する方の合計４つの取付ガイドを折除すればよい。
【００９４】  さらには、丸穴状開口部に取り付ける場合には、取付ガイド３１ａ、３１ｅと図示しない他の３つの角部の合計６つの取付ガイドのいずれも折除すればよい。
【００９５】  なお、シール部材３３は、前筐体３１の背面側の外周部に配置されればよい。
【００９６】  図８（ｂ）は、対角線Ｔ５（破線で示した）上の外周側両端部において、前筐体４１の背面側角部に断続的にＬ字を構成する取付ガイド４１ａを折除可能に接続した形態である。
【００９７】  この実施の形態は、対角線Ｔ５上には断続的にＬ字を構成するものであって、非連続の取付ガイド４１ａのそれぞれを直線で接続した仮想直線がＬ字を構成しているものと考えればよい。
【００９８】  なお、シール部材４３は、前筐体４１の背面側の外周部に配置されればよい。
【００９９】  図８（ｃ）は、対角線Ｔ６（破線で示した）上の外周側両端部において、前筐体５１の背面側角部に単に直線上に連続的に取付ガイド５１ａを折除可能に接続した形態である。
【０１００】  なお、シール部材５３は、前筐体５１の背面側の外周部に配置されればよい。
【０１０１】  次に、図９（ａ）における取付ガイド６１ａは、その本体が背面側から見てＬ字を構成し、その本体の厚みと略同じ厚みの接続部６１ａａにより角部に接続されている。
【０１０２】  ここで、本体の長手方向の一方端に位置する切り欠き部６１ａｂと同長手方向の他方端に位置する切り欠き部６１ａｂが形成されていることにより、接続部６１ａａを支点として本体を揺動すれば折除可能となっている（残りの角部に位置する取付ガイドについては図示と説明を省略する）。
【０１０３】  つまり、取付ガイド６１ａは、両端部に位置する切り欠き部６１ａｂを介して前筐体６１の背面側角部に接続されている。
【０１０４】  そして、図９（ｂ）における取付ガイド７１ａは、その本体は背面側から見てＬ字を構成し、その本体の厚みよりも薄肉化された接続部７１ａａによりその本体の長手方向全体に沿って前筐体７１の背面側角部に接続されている。
【０１０５】  ここで、本体部の長手方向に沿って薄肉化された接続部７１ａａを支点として本体を揺動すれば折除可能となっている（残りの角部に位置する取付ガイドについては図示と説明を省略する）。
【０１０６】  最後に、図９（ｃ）における取付ガイド８１ａは、その本体を逆円錐形状とすることにより、その頂点側が前筐体８１の背面側角部に折除可能に接続されている形態である（残りの角部に位置する取付ガイドについては図示と説明を省略する）。
【０１０７】  なお、本発明の技術的範囲は、上述した実施の形態に限定されるものでなく、請求項に示した範囲で種々の変形が可能であり、異なる実施の形態にそれぞれ開示された技術的な手段を適宜組み合わせて得られる実施の形態の変形例についても本発明の技術的範囲に含まれるものとする。
【０１０８】  以上のように、本発明に係る、取付ガイドを備えた電子機器は、同一の電子機器でありながら、その電子機器を取り付けようとする外部の構造物の開口部が異なる形状（例えば、矩形形状と丸穴形状）であっても取付が容易となる、取付ガイドを備えた電子機器として有用である。
【符号の説明】
【０１０９】１０、２０  デジタルパネルメータ
１１  前筐体
１１ａ、１１ｂ、１１ｃ、１１ｄ  取付ガイド
１１ａａ、１１ｂａ、１１ｃａ、１１ｄａ  接続部
１１ａｂ、１１ｂｂ、１１ｃｂ、１１ｄｂ  貫通孔部
１１ｈ  情報表示部
１１ｍ  各種表示設定ボタン
１１ｎ  電源ボタン
１１ｐ  バーグラフ表示部
１１ｓ  主表示部
１２  後筐体
１２ａ  導入経路部
１３  シール部材
２１  前筐体
２１ａ、２１ｃ  取付ガイド
２３  シール部材
３１、４１、５１  前筐体
３１ａ、３１ｅ、４１ａ、５１ａ  取付ガイド
３３、４３、５３  シール部材
６１、７１、８１  前筐体
６１ａ、７１ａ、８１ａ  取付ガイド
６１ａａ、７１ａａ、８１ａａ  接続部
６１ａｂ  切り欠き部
Ｐ１ｂ  上側端部
Ｐ１ｃ  下側端部
Ｐ２ｂ  上方端部
Ｐ２ｃ  下方端部
Ｔ１、Ｔ２、Ｔ３、Ｔ４、Ｔ５、Ｔ６  対角線
Ｐ１、Ｐ２  パネル
【要約】
【課題】  デジタルパネルメータ１０を設置しようとする外部の構造体における開口部が、異なる形状（例えば、丸穴形状と矩形状）であっても、同一のデジタルパネルメータ１０を取り付けることを可能とする。
【解決手段】  外部の構造体の開口部への取り付け時に、その開口部へ対向する前筐体１１の背面側の４つの角部において、背面側から見てＬ字を連続的に構成するように４つの取付ガイド１１ａ、１１ｂ、１１ｃ、１１ｄが折除可能に接続されている。
【選択図】図１【図１】
0005857353.tif 000002
【図２】
0005857353.tif 000003
【図３】
0005857353.tif 000004
【図４】
0005857353.tif 000005
【図５】
0005857353.tif 000006
【図６】
0005857353.tif 000007
【図７】
0005857353.tif 000008
【図８】
0005857353.tif 000009
【図９】
0005857353.tif 000010
【図１０】
0005857353.tif 000011